(57)【要約】      （修正有）【課題】音声の音程を変換しても、音声品質を変換前と略同一に維持し、変換時に生じる雑音を抑制する。【解決手段】バンドパスフィルタ出力切換部では、出力振幅比較部の出力を基に、ＢＰＦ１５〜ＢＰＦ２１の出力のうち、いずれか１つのみを選択する繰り返しがなされる。ピッチ周期検出部は、バンドパスフィルタ出力切換部からの出力を基に音声信号の周期を求める。周期情報一時保存用記憶部は、ピッチ周期検出部で検出した周期情報を格納する。音程制御部は、予め音程変化率設定部で設定した変化率値に応じて、音声データ一時保存用記憶部に格納した音声データを周期情報一時保存用記憶部の情報を基に、音声信号のピッチ周期を単位として音程変換処理を行い、その結果を音声データ一時保存用記憶部に出力し、その記憶内容を更新する。こうして得られる音程変換処理結果を音声データ一時保存用記憶部から音声データ出力部を経由して出力させる制御を行う。【選択図】図１
2008262140.tif 000002
【特許請求の範囲】
【請求項１】
入力される音声信号の音程を、所望の音程に設定変更するための音程変化率設定手段と、
人の声の周波数範囲をカバーし、且つ帯域内を分割するように、各通過周波数帯域を設定したバンドパスフィルタを複数用意し、これらの各バンドパスフィルタの出力値を用いて高調波成分を抑圧した音声の基本周波数信号を求める高調波成分抑圧手段と、
前記基本周波数信号の波形を基に前記音声信号の周期（ピッチ周期）を検出するピッチ周期検出手段と、
前記音程変化率設定手段により設定変更された音程に制御すべく、前記ピッチ周期検出手段で得たピッチ周期に応じた周期で、前記音声信号の実波形を対象に波形処理することにより音程変換する音程変換手段と、を備える音程変換装置であって、
前記高調波成分抑圧手段には、前記各バンドパスフィルタの出力値を基準として設定変更される閾値と、前記各バンドパスフィルタの出力値とを比較することで、振幅が一定量以上であり、かつ低い周波数帯域を重視するようフィルタを選択するための出力を生成する出力振幅比較手段を具備し、
前記音程変換手段では、前記ピッチ周期検出手段で得たピッチ周期に応じた間隔毎に波形の接続処理を実施する音程変換装置。
【請求項２】
請求項１記載の音程変換装置において、前記ピッチ周期検出手段が、前記基本周波数信号の波形のピーク位置若しくはその位置近傍を順次検出すると共に、検出される順位が連続しているピーク位置同士若しくはそのピーク位置近傍同士の間隔を検出するピッチ周期検出手段である音程変換装置。
【請求項３】
請求項１記載の音程変換装置において、前記ピッチ周期検出手段が、前記基本周波数信号の波形のゼロクロス位置若しくはその位置近傍を順次検出すると共に、検出される順位が連続しているゼロクロス位置若しくはそのゼロクロス位置近傍同士を検出するピッチ周期検出手段である音程変換装置。
【請求項４】
請求項２記載の音程変換装置において、前記音程変換手段が、前記音声信号の再生を、前記音程変化率設定手段により設定された音程に制御すべく、前記ピッチ周期検出手段が検出したピーク位置の間隔で、且つ、そのピーク位置若しくはピーク位置の中間点毎に前記音声信号の実波形における時間軸上の一致点を処理位置として前記音声信号の実波形を対象に波形処理することで音程変換する手段である音程変換装置。
【請求項５】
請求項１記載の音程変換装置において、前記波形の接続処理が、前記ピッチ周期毎の音声波形を、その周期の中間に１点以上定める処理基準位置にて、前記音程変化率設定手段により設定変更された音程に応じた時間幅を削除した上で、その端面同士を接合することによりピッチ周期を短縮し音程を上げる処理であり、あるいは、前記波形の接続処理が、前記ピッチ周期毎の音声波形を、その周期の中間に１点以上定める処理基準位置にて、前記音程変化率設定手段により設定変更された音程に応じて時間幅が重複するように切り出した上で、その端面同士を接合することによりピッチ周期を伸長し音程を下げる処理である音程変換装置。
【請求項６】
請求項１乃至請求項４の何れか１項記載の音程変換装置において、前記出力振幅比較手段の後段には、当該出力振幅比較手段の出力を基に、各バンドパスフィルタからの出力のうち、いずれか１つのみ選択し出力するフィルタ出力切換手段を備えている音程変換装置。
【請求項７】
入力される音声信号の音程を、所望の音程に設定変更するためのステップと、
人の声の周波数範囲をカバーし、且つ帯域内を分割するように、各通過周波数帯域を設定したバンドパスフィルタを複数用意し、これらの各バンドパスフィルタを用いて高調波成分を抑圧した基本周波数信号を求めるステップと、
前記基本周波数信号の波形を基に前記音声信号の周期（ピッチ周期）を検出するステップと、前記音程設定のステップにより設定された音程に制御すべく、前記ピッチ周期検出ステップにおける検出で得られるピッチ周期に応じた周期で、前記音声信号の実波形を対象に波形処理することにより音程変換するステップと、を備える音程変換方法であって、
前記高調波成分抑圧ステップでは、前記各バンドパスフィルタの出力値を基準として設定変更される閾値と、前記各バンドパスフィルタの出力値とを比較することで、振幅が一定量以上であり、かつ低い周波数帯域を重視するようフィルタを選択するための出力を生成するための出力を生成するステップと、
前記音程変換ステップでは、前記ピッチ周期検出ステップで得たピッチ周期に応じた間隔毎に波形の接続処理を実施する音程変換装置。
【発明の詳細な説明】
【技術分野】
【０００１】  本発明は、入力される音声信号の音程を、所望の音程に変換して出力する音程変換装置、及び音程変換方法に関する。
【背景技術】
【０００２】  従来、入力される音声信号のサンプリング周波数と出力信号のサンプリング周波数との比率を、変換する音程の比率と等しくすることにより、音程（ピッチ周期）を変換する装置が提案されている（例えば特許文献１参照）。また、音声信号の周期を抽出し、音声の１周期毎に波形を切り出した後、音程変換の比率に従った時間間隔で１周期毎の波形を接続することにより、音程（ピッチ周期）を変換する装置が提案されている（例えば特許文献２参照）。【０００３】
【特許文献１】特公平７−６２８００号公報
【特許文献２】特開２００１−２６５４００号公報
【発明の開示】
【発明が解決しようとする課題】
【０００４】  上記特許文献１で代表される従来技術における音程変換処理は、磁気テープに記録した音声信号を再生する際に、テープの走行速度を変化させることと原理的に等しい。この手法により簡単に音声のピッチ（基本周波数）を変化させることができるが、同時に、フォルマント（声道の共鳴によるピーク）の周波数も変化するため、声質が変化するなど話者固有の特徴も失われ、音程変換によって不自然な音声となるという不具合が生じる。【０００５】  上記特許文献２で代表される従来技術における音程変換処理は、上述した音声変換による音声の不自然さを解消するためになされたものであり、音声の１周期毎に時間間隔を変化させて波形を変化させて波形を接合することで、音声のピッチが変化してもフォルマントの周波数は一定に保たれるため、音程変換処理の過程にて声質が劣化し難い。しかし、その反面、時間間隔を広くして接合する場合、音声の周期波形間に無音区間を挿入するため、音声の１周期の波形が孤立し、新たに高調波が生じるなど音質の劣化を招来するおそれがある。また、窓関数にて波形処理を行い音声の１周期を抜き出しているが、その際の音質劣化については考慮されていない。
従って、本発明の目的は、音程変換装置において、人間が発した音声の音程を変換しても、変換後の音声品質を変換前のそれと略同一に維持することができ、且つ、変換時に生じる雑音を抑制することができるようにすることにある。
【課題を解決するための手段】
【０００６】  本発明の第１の観点に従う音程変換装置は、入力される音声信号の音程を、所望の音程に設定変更するための音程変化率設定手段と、人の声の周波数範囲をカバーし、且つ帯域内を分割するように、各通過周波数帯域を設定したバンドパスフィルタを複数用意し、これらの各バンドパスフィルタを用いて高調波成分を抑圧した基本周波数信号を求める高調波成分抑圧手段と、前記基本周波数信号の波形を基に前記音声信号の実波形の周期を検出するピッチ周期検出手段と、前記音程変化率設定手段により設定変更された音程に制御すべく、前記ピッチ周期検出手段で得たピッチ周期の間隔毎に、前記音声信号の実波形を対象に波形処理することにより音程変換する音程変換手段と、を備える音程変換装置であって、前記高調波成分抑圧手段には、前記各バンドパスフィルタの出力値を基準として設定変更される閾値と、前記各バンドパスフィルタの出力値とを比較することで、振幅が一定量以上であり、かつ低い周波数帯域を重視するようフィルタを選択するための出力を生成する出力振幅比較手段を具備し、前記音程変換手段では、前記ピッチ周期検出手段で得たピッチ周期の間隔毎に波形の接続処理を実施する。【０００７】  本発明の第１の観点に係る好適な実施形態では、前記ピッチ周期検出手段が、前記基本周波数信号の波形のピーク位置若しくはその位置近傍を順次検出すると共に、検出される順位が連続しているピーク位置同士若しくはそのピーク位置近傍同士の間隔を検出するピッチ周期検出手段である。【０００８】    上記とは別の実施形態では、前記ピッチ周期検出手段が、前記基本周波数信号の波形のゼロクロス位置若しくはその位置近傍を順次検出すると共に、検出される順位が連続しているゼロクロス位置若しくはそのゼロクロス位置近傍同士を検出するピッチ周期検出手段である。【０００９】    上記とは別の実施形態では、前記音程変換手段が、前記音声信号の再生を、前記音程変化率設定手段により設定された音程に制御すべく、前記ピッチ周期検出手段が検出したピーク位置の間隔で、且つ、そのピーク位置若しくはピーク位置の中間点毎に前記音声信号の実波形における時間軸上の一致点を処理位置として前記音声信号の実波形を対象に波形処理することで音程変換する手段である。【００１０】    上記とは別の実施形態では、前記出力振幅比較手段の後段には、当該出力振幅比較手段の出力を基に、各バンドパスフィルタからの出力のうち、いずれか１つのみ選択し出力するフィルタ出力切換手段を備えている。【００１１】    本発明の第２の観点に従う音程変換方法は、入力される音声信号の音程を、所望の音程に設定変更するためのステップと、人の声の周波数範囲をカバーし、且つ帯域内を分割するように、各通過周波数帯域を設定したバンドパスフィルタを複数用意し、これらの各バンドパスフィルタを用いて高調波成分を抑圧した基本周波数信号を求めるステップと、前記基本周波数信号の波形を基に前記音声信号の実波形の周期（ピッチ周期）を検出するステップと、前記設定のステップにより設定変更された音程に制御すべく、前記ピッチ周期検出ステップで得られるピッチ周期毎に、前記音声信号の実波形を対象に波形処理することにより音程変換するステ���プと、を備える音程変換方法であって、前記高調波成分抑圧ステップでは、前記各バンドパスフィルタの出力値を基準として設定変更される閾値と、前記各バンドパスフィルタの出力値とを比較することで、振幅が一定量以上であり、かつ低い周波数帯域を重視するようフィルタを選択するための出力を生成するための出力を生成するステップと、前記音程変換ステップでは、前記ピッチ周期検出ステップで得たピッチ周期の間隔毎に波形の接続処理を実施する。
【発明の効果】
【００１２】  本発明によれば、音程変換装置において、入力音声の音程を変化させる処理を行う際、特定された周期間隔以外について波形処理を行うことを回避している。このため、フォルマントなど話者固有の特徴を失い難く、高品質な音程変換を可能にしている。
【発明を実施するための最良の形態】
【００１３】  以下、本発明の実施の形態を、図面により詳細に説明する。【００１４】  図１は、本発明の一実施形態に係る音程変換装置の内部構成を示す機能ブロック図である。【００１５】  上記音程変換装置は、図１に示すように、音声データ入力部１と、音程変化率設定部３と、音声データ一時保存用記憶部５と、周期情報一時保存用記憶部７と、音声特徴検出部９と、音程制御部１１と、音声データ出力部１３と、を含む。【００１６】  音声特徴検出部９は、バンドパスフィルタ（以下、「ＢＰＦ」と表記する）１５、ＢＰＦ１７、ＢＰＦ１９、ＢＰＦ２１と、出力振幅比較部２３と、バンドパスフィルタ出力切換部２５と、ピッチ周期検出部２７と、を備える。【００１７】  これらの各部において、音声データ入力部１には、音程変換対象とするＰＣＭデータ（ＰＣＭ：Ｐｕｌｓｅ  Ｃｏｄｅ  Ｍｏｄｕｌａｔｉｏｎ）を入力する。ＰＣＭデータが入力された音声データ入力部１は、ＰＣＭデータを音声データ一時保存用記憶部５、およびＢＰＦ１５、ＢＰＦ１７、ＢＰＦ１９、ＢＰＦ２１へと出力する。【００１８】  音声データ一時保存用記憶部５は、音声データを音程変換処理するために設けたもので、入力した音声データを一時的に記憶し、この一時的に記憶した音声データを、音程制御部１１の制御下で音程変換処理に適した音声データに変換して音声データ出力部１３へと出力する。【００１９】  ＢＰＦ１５、ＢＰＦ１７、ＢＰＦ１９、ＢＰＦ２１は、人の声の周波数範囲をカバーし、かつ帯域内を分割するように各通過周波数帯域を設定する。【００２０】  出力振幅比較部２３は、ＢＰＦ１５、ＢＰＦ１７、ＢＰＦ１９、ＢＰＦ２１からの出力を一定区間毎に比較し、振幅が一定量以上であり、かつ低い周波数帯域を重視するようフィルタを選択するための出力を生成する。【００２１】  バンドパスフィルタ出力切換部２５は、出力振幅比較部２３の後段に設けられ、この出力振幅比較部２３の出力を基に、ＢＰＦ１５、ＢＰＦ１７、ＢＰＦ１９、ＢＰＦ２１の出力のうち、いずれか１つのみを選択し、出力する。【００２２】  ピッチ周期検出部２７は、バンドパスフィルタ出力切換部２５からの出力を基に音声信号の周期を求め、その結果を出力する。【００２３】  周期情報一時保存用記憶部７は、ピッチ周期検出部２７で検出した周期情報を格納する。【００２４】  音程制御部１１は、予め音程変化率設定部３で設定した変化率値に応じて、音声データ一時保存用記憶部５に格納した音声データを周期情報一時保存用記憶部７の情報を基に、音声信号の周期を単位として音程変換処理を行い、その結果を音声データ一時保存用記憶部５に出力し、その記憶内容を更新する。こうして得られる音程変換処理結果を音声データ一時保存用記憶部５から音声データ出力部１３を経由して出力させる制御を行う。【００２５】  前述した各部を備えた構成において、音声特徴検出部９について詳述する。この音声特徴検出部９には、人の声の音程により決まる周期（ピッチ周期）を精度良く検出するため、ＢＰＦ１５、ＢＰＦ１７、ＢＰＦ１９、ＢＰＦ２１の４つからなる帯域フィルタを用意する。それぞれのフィルタの通過帯域は、音程変換対象とする音声の周波数範囲をカバーし、その周波数範囲を分割するように決定する。ここでは、例えば図２に利得Ａ−周波数ｆ〔Ｈｚ〕特性で示すように、フィルタの通過帯域での利得Ａが１．０となる関係でＢＰＦ１５のフィルタの通過帯域は１００〜２００〔Ｈｚ〕、ＢＰＦ１７のフィルタの通過帯域は２００〜３００〔Ｈｚ〕、ＢＰＦ１９のフィルタの通過帯域は３００〜４００〔Ｈｚ〕、ＢＰＦ２１の通過帯域は４００〜５００〔Ｈｚ〕の如くに定める。【００２６】  図２に示す関係にあるＢＰＦ１５、ＢＰＦ１７、ＢＰＦ１９、ＢＰＦ２１の出力を、出力振幅比較部２３に入力する。出力振幅比較部２３は、ＢＰＦ１５、ＢＰＦ１７、ＢＰＦ１９、ＢＰＦ２１からの出力を一定区間毎に比較し、前記ピッチ周期検出手段における検出で得られる基本周波数に応じた周期で設定変更される閾値と、ＢＰＦ１５、ＢＰＦ１７、ＢＰＦ１９、ＢＰＦ２１からの一定区間毎の平均出力値とを比較することで、振幅が一定量以上であり、かつ低い周波数帯域を重視するようフィルタを選択するための出力を生成する。【００２７】  バンドパスフィルタ出力切換部２５では、出力振幅比較部２３の出力を基に、ＢＰＦ１５、ＢＰＦ１７、ＢＰＦ１９、ＢＰＦ２１の出力のうち、いずれか１つのみを選択する繰り返しがなされる。このため、音声データ入力部１からの音声信号がＢＰＦ１５、ＢＰＦ１７、ＢＰＦ１９、ＢＰＦ２１へと元音声の波形が例えば図３に示す波形のように入力されると、バンドパスフィルタ出力切換部２５の出力は、図４に示すように人の声の基本周波数成分を含み、かつその周波数の高調波成分を抑圧した音声波形となり、ほぼ単一の正弦波となる。【００２８】  同時に、ピッチ周期検出部２７において、バンドパスフィルタ出力切換部２５の出力を基に、波形のピーク位置を求める処理と、隣り合うピーク位置２点間の距離（時間）から、その２点間のピッチ周期Ａを求める処理とがなされる。なお、図３及び図４中、符号▲１▼、符号▲２▼、符号▲３▼、符号▲４▼、符号▲５▼、符号▲６▼で示す各位置は波形のピーク位置である。このピッチ周期検出部２７からの出力は、周期情報一時保存用記憶部７へと順次入力されて、音程制御部１１で用いる周期情報として更新記憶される。【００２９】  音程制御部１１は、音程変化率設定部３により設定変更された音程に制御すべく、周期情報一時保存用記憶部７に記憶したバンドパスフィルタ出力切換部２５の出力におけるピッチ周期検出部２７が検出したピーク位置２点間の間隔で、且つそのピーク位置間隔毎に処理基準位置（図３にＸで示す位置、以下処理基準位置Ｘという）を設けて、上記音声信号の実波形における時間軸上の一致点を対象に波形処理することにより音程変換を実現する。図５は音程を下げる処理例を示し、図６は音程を上げる処理例を示す。【００３０】  図５の音程を下げる処理例では、音程変化率設定部３での設定変更に応じて適宜選定したピーク位置２点間において合成区間を定め、処理基準位置Ｘを中心に時間軸上で広げるようにずらして合成する。この際、波形を滑らかに接続するため、処理基準位置Ｘを中心とした一定区間（合成区間）について上記公知のクロスフェード処理を行う。他の周期間隔についても音程変化率設定部３での設定変更に応じて同様にクロ��フェード処理を行う。【００３１】  図６の音程を上げる処理例では、音程変化率設定部３での設定変更に応じて適宜選定したピーク位置２点間において合成区間を定め、処理基準位置Ｘを中心に時間軸上で狭めるようにずらして合成する。この際、波形を滑らかに接続するため、処理基準位置Ｘを中心とした一定区間（合成区間）について上記公知のクロスフェード処理を行う。他の周期間隔についても音程変化率設定部３での設定変更に応じて同様にクロスフェード処理を行う。【００３２】  図７は音程を下げる処理例を模式的に示す詳細説明図である。まず、音程変化率設定部３での設定変更に応じて図７（ａ）に示すようにピーク位置▲３▼、ピーク位置▲４▼の２点間におけるピッチ周期Ａ分の音声を取り込み、処理基準位置Ｘを中心に前後の時間幅を等分に定めて処理範囲を設ける。次に、この処理範囲において図７（ｂ）に示すように処理基準位置Ｘよりも後の音声振幅を元の振幅から０まで減少させ、また図７（ｃ）に示すように処理基準位置Ｘよりも前の音声振幅を０から元の振幅まで増加させる。この結果、図７（ｂ）の音声と図７（ｃ）の音声とに処理基準位置Ｘを中心として重複した時間幅が含まれることになる。次に、図７（ｄ）に示すように処理基準位置Ｘを中心とした一定区間（合成区間）である上記重複した時間幅の区間において、図７（ｂ）の音声と図７（ｃ）の音声とを突き合わせて合成する公知のクロスフェード処理を行うことにより、音声の周期間隔がＡからＡ’のように広がる。他の周期間隔についても音程変化率設定部３での設定変更に応じて同様にクロスフェード処理を行うことにより、音程を所望通り下げることができる。【００３３】  図８は音程を上げる処理例を模式的に示す詳細説明図である。まず、音程変化率設定部３での設定変更に応じて図８（ａ）に示すようにピーク位置▲３▼、ピーク位置▲４▼の２点間におけるピッチ周期Ａ分の音声を取り込み、処理基準位置Ｘを中心に前後の空白時間幅を等分に定めて前後に分離された各処理範囲を設ける。次に、この前後に分離された各処理範囲のうち処理基準位置Ｘよりも前の処理範囲を対象にして図８（ｂ）に示すように音声振幅を元の振幅から０まで減少させ、また処理基準位置Ｘよりも後の処理範囲を対象にして図８（ｃ）に示すように音声振幅を０から元の振幅まで増加させる。この結果、図８（ｂ）の音声と図８（ｃ）の音声とに処理基準位置Ｘを中心として空白の時間幅が含まれることになる。次に、図８（ｄ）に示すように処理基準位置Ｘを中心とした一定区間（合成区間）である上記空白の時間幅の区間において、図８（ｂ）の音声と図８（ｃ）の音声とを合成する公知のクロスフェード処理を行うことにより、音声の周期間隔がＡからＡ”のように狭まる。他の周期間隔についても音程変化率設定部３での設定変更に応じて同様にクロスフェード処理を行うことにより、音程を所望通り上げることができる。【００３４】  以上説明したように、本発明の一実施形態においては、バンドパスフィルタ出力切換部２５では、出力振幅比較部２３の出力を基に、ＢＰＦ１５〜ＢＰＦ２１の出力のうち、いずれか１つのみを選択する繰り返しがなされる。ピッチ周期検出部２７は、バンドパスフィルタ出力切換部２５からの出力を基に音声信号の周期（ピッチ周期）を求める。周期情報一時保存用記憶部７は、ピッチ周期検出部２７で検出した周期情報を格納する。音程制御部１１は、音声信号の再生を音程変化率設定部３により設定された音程に制御すべく、周期情報一時保存用記憶部７に記憶したバンドパスフィルタ出力切換部２５の出力におけるピッチ周期検出部２７が検出した周期情報を参照して音程変換処理を行い、その結果を音声データ一時保存用記憶部５に出力し、その記憶内容を更新する。こうして得られる音程変換処理結果を音声データ一時保存用記憶部５から音声データ出力部１３を経由して出力させる制御を行う。【００３５】  よって、本発明の一実施形態によれば、音程変換に際しては、上記した如く音声信号の周期情報を高精度に得ている条件でなされるので、変換時に生じる雑音を効果的に抑制することが可能となる。また音程を下げたり若しくは上げたりする何れの処理においても、特定された周期間隔以外について波形処理を行っていない。これにより音声の特徴を失い難く、高品質な音程変換を可能にしている。【００３６】  以上、本発明の好適な実施形態を説明したが、これは本発明の説明のための例示であって、本発明の範囲をこの実施形態にのみ限定する趣旨ではない。本発明は、他の種々の形態でも実施することが可能であり、例えば図３〜図８を用いての説明では、処理基準位置Ｘが隣接するピーク位置の２点間における中心位置としているが、その隣接するピーク位置の２点間であればどの位置に処理基準位置Ｘを設定してもよいものである。【００３７】  また、処理基準位置Ｘは隣接するピーク位置の２点間について１点のみでなく２点以上設定してもよい。【００３８】    また、ピーク位置の近傍位置をピーク位置とみなしてピーク周期を設定したり、ピーク位置に代えてバンドパスフィルタ出力切換部２５の出力におけるゼロクロス位置或いはその近傍位置を、ピーク周期を決める基準位置とするなどの応用も勿論可能のものである。
【図面の簡単な説明】
【００３９】
【図１】本発明の一実施形態に係る音程変換装置の内部構成を示す機能ブロック図。
【図２】バンドパスフィルタを複数用意した状況を説明するために用いた利得一周波数特性を示す図。
【図３】図１に記載した音声データ入力部からの出力波形の一例を示す信号波形図。
【図４】図１に記載した音程制御部において行われる、入力音声データの音程変換処理のプロセスに係わる信号波形図。
【図５】図１に記載した音程制御部において行われる、入力音声データの音程変換処理のプロセスに係わる信号波形図。
【図６】図１に記載した音程制御部において行われる、入力音声データの音程変換処理のプロセスに係わる信号波形図。
【図７】図１に記載した音程制御部において行われる、入力音声データの音程変換処理のプロセスに係わる模式図。
【図８】図１に記載した音程制御部において行われる、入力音声データの音程変換処理のプロセスに係わる模式図。
【符号の説明】
【００４０】    １  音声データ入力部
３  音程変化率設定部
５  音声データ一時保存用記憶部
７  周期情報一時保存用記憶部
９  音声特徴検出部
１１  音程制御部
１３  音声データ出力部
１５  バンドパスフィルタ（ＢＰＦ）
１７  バンドパスフィルタ（ＢＰＦ）
１９  バンドパスフィルタ（ＢＰＦ）
２１  バンドパスフィルタ（ＢＰＦ）
２３  出力振幅比較部
２５  バンドパスフィルタ出力切換部
２７  ピッチ周期検出部
【図１】
2008262140.tif 000003
【図２】
2008262140.tif 000004
【図３】
2008262140.tif 000005
【図４】
2008262140.tif 000006
【図５】
2008262140.tif 000007
【図６】
2008262140.tif 000008
【図７】
2008262140.tif 000009
【図８】
2008262140.tif 000010